【手続補正書】
【提出日】平成18年3月2日(2006.3.2)
【手続補正１】
【補正対象書類名】特許請求の範囲
【補正対象項目名】全文
【補正方法】変更
【補正の内容】
【特許請求の範囲】
【請求項１】
エムペントリン、テフラメトリン及び一般式（Ｉ）
【化１】
2004229658.tif 000001
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物から選ばれた１種又は２種以上の常温揮散性ピレスロイド系薬剤６０〜１６００ｍｇを、有孔面積の表面積全体に対する比率を０．２〜１０％とし、プラスチック樹脂を０〜２０％含有しているセルロース基材、又は連続発泡処理を施したプラスチック樹脂を素材とし、かつ２枚〜８枚羽根を有する有孔ファンに含浸させ、モーターを用いて５０〜２０００ｒｐｍの速度で回転させるとともに、前記ファンから薬剤を１時間当たり０．０１〜２．０ｍｇの割合で揮散させるようになしたことを特徴とする薬剤揮散装置。
【請求項２】
有孔面積の表面積に対する比率を０．２〜１０％とし、プラスチック樹脂を０〜２０％含有しているセルロース基材において、目付（ｇ／ｍ2）を厚さ（ｍｍ）で除したパラメーターで示した時、１００〜５００（ｇ／ｍ2・ｍｍ）の範囲にあることを特徴とする請求項１に記載の薬剤揮散装置。
【請求項３】
有孔ファンが、連続発泡処理を施したポリオレフィン系若しくはポリウレタン系プラスチック樹脂からなることを特徴とする請求項１に記載の薬剤揮散装置。
【請求項４】
常温揮散性ピレスロイド系薬剤を含浸させた有孔ファンを所定時間回転させた後、該回転を所定時間休止させるサイクルを繰り返し、該薬剤を間欠的に揮散せしめるようになしたことを特徴とする請求項１ないし３のいずれかに記載の薬剤揮散装置。
【請求項５】
１０ｍ3以下の空間において、エムペントリン、テフラメトリン及び一般式（Ｉ）
【化２】
2004229658.tif 000002
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物から選ばれた１種又は２種以上の常温揮散性ピレスロイド系薬剤６０〜１６００ｍｇを、有孔面積の表面積全体に対する比率を０．２〜１０％とし、プラスチック樹脂を０〜２０％含有しているセルロース基材又は連続発泡処理を施したプラスチック樹脂を素材とし、かつ２枚〜８枚羽根を有する有孔ファンに含浸させ、モーターを用いて５０〜２０００ｒｐｍの速度で回転させるとともに、前記ファンから薬剤を１時間当たり０．０１〜２．０ｍｇの割合で揮散させて害虫を防除することを特徴とする害虫防除方法。
【手続補正２】
【補正対象書類名】明細書
【補正対象項目名】０００６
【補正方法】変更
【補正の内容】
【０００６】
すなわち、本発明は、上記課題を解決するために、次のような構成を採用する。
（１）エムペントリン、テフラメトリン及び一般式（Ｉ）
【化３】
2004229658.tif 000003
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物から選ばれた１種又は２種以上の常温揮散性ピレスロイド系薬剤６０〜１６００ｍｇを、有孔面積の表面積全体に対する比率を０．２〜１０％とし、プラスチック樹脂を０〜２０％含有しているセルロース基材、又は連続発泡処理を施したプラスチック樹脂を素材とし、かつ２枚〜８枚羽根を有する有孔ファンに含浸させ、モーターを用いて５０〜２０００ｒｐｍの速度で回転させるとともに、前記ファンから薬剤を１時間当たり０．０１〜２．０ｍｇの割合で揮散させるようになした薬剤揮散装置。
（２）有孔面積の表面積に対する比率を０．２〜１０％とし、プラスチック樹脂を０〜２０％含有しているセルロース基材において、目付（ｇ／ｍ2）を厚さ（ｍｍ）で除したパラメーターで示した時、１００〜５００（ｇ／ｍ2・ｍｍ）の範囲にある（１）に記載の薬剤揮散装置。
（３）有孔ファンが、連続発泡処理を施したポリオレフィン系若しくはポリウレタン系プラスチック樹脂からなる（１）に記載の薬剤揮散装置。
（４）常温揮散性ピレスロイド系薬剤を含浸させた有孔ファンを所定時間回転させた後、該回転を所定時間休止させるサイクルを繰り返し、該薬剤を間欠的に揮散せしめるようになした（１）ないし（３）のいずれかに記載の薬剤揮散装置。
（５）１０ｍ3以下の空間において、エムペントリン、テフラメトリン及び一般式（Ｉ）
【化４】
2004229658.tif 000004
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物から選ばれた１種又は２種以上の常温揮散性ピレスロイド系薬剤６０〜１６００ｍｇを、有孔面積の表面積全体に対する比率を０．２〜１０％とし、プラスチック樹脂を０〜２０％含有しているセルロース基材、又は連続発泡処理を施したプラスチック樹脂を素材とし、かつ２枚〜８枚羽根を有する有孔ファンに含浸させ、モーターを用いて５０〜２０００ｒｐｍの速度で回転させるとともに、前記ファンから薬剤を１時間当たり０．０１〜２．０ｍｇの割合で揮散させて害虫を防除する害虫防除方法。
【手続補正３】
【補正対象書類名】明細書
【補正対象項目名】００１１
【補正方法】変更
【補正の内容】
【００１１】
本発明の薬剤揮散装置には、上記常温揮散性薬剤を含浸させた２枚〜８枚羽根を有する有孔ファンが付設される。すなわち、有孔面積の表面積全体に対する比率を０．２〜１０％とし、プラスチック樹脂を０〜２０％含有しているセルロース基材、又は連続発泡処理を施したプラスチック樹脂を素材とすることによってファンに孔を設けることに基づき、ファン表面からの薬剤揮散に伴い、ファン内部に保持された薬剤を順次内部から表面へ徐々に移行させ、長期間にわたり効率的な揮散性能を維持する作用が付与される。プラスチック樹脂を０〜２０％含有しているセルとース基材の場合、好ましい有孔程度は、有孔面積の表面積全体に対する比率が０．２〜１０％程度が適当であり、かつそのような比率の範囲に設定されている。
また、ファンの形状や大きさは、薬剤の拡散性が確保される限り何ら制限されず、もちろん羽根にひねりの角度をもたせることによって拡散性を向上させうる。なお、本発明では、「ファン」とは「羽根」を含めた「回転体」を意味し、例えば、羽根の切り込みは必ずしも中心部付近まで達していなくてもよく、中心部の羽根装着部と羽根とを含めたものをファンと称する。更に、羽根をプラスチック製枠体で補強するとともに、羽根の間に薬剤含浸スポークを放射状に装てんさせたような形状も本発明のファンに包含される。
【手続補正４】
【補正対象書類名】明細書
【補正対象項目名】００１２
【補正方法】変更
【補正の内容】
【００１２】
連続発泡処理を施したプラスチック樹脂としては、ポリオレフィン系もしくはポリウレタン系有孔状プラスチック樹脂が好ましく、ポリオレフィン系有孔状プラスチック樹脂が特に好ましい状態にある。これに対し、ポリスチレン、ポリ塩化ビニルやエチレン−メチルメタクリレート、高密度ポリプロピレンなどの無孔プラスチック樹脂は、薬剤がファン内部に取り込まれ表面への移行がスムーズに起こり得ない。